(57)【要約】【課題】録画再生装置において、ＴＶ番組を録画する際に、記録媒体を効率良く使用する。【解決手段】光ディスクにＴＶ番組を録画可能なＢＤレコーダ（録画再生装置）は、ＨＤＭＩケーブルを介してＴＶ受像機と接続されており、ＢＤレコーダの電源をオンにすると（Ｓ１）、ＴＶ受像機と接続されていることを検知してＨＤＭＩ認証処理を行う（Ｓ２）。その後、ＢＤレコーダは、ＴＶ受像機に対して機器情報要求を行い、機器情報（ＥＤＩＤ）を取得する（Ｓ３）。そして、ＢＤレコーダは、機器情報（ＥＤＩＤ）の中から、ＴＶ受像機２の画面サイズの情報（画面のインチ数の情報等）を取得し（Ｓ４）、取得した画面サイズの情報を用いて、ＴＶ受像機に対応する録画画質の録画モードを算出すると共に、その録画モードを設定する処理（Ｓ５）を行う。そして、ＢＤレコーダは、設定された録画モードの録画画質により、ＴＶ番組の録画を行う（Ｓ６）。【選択図】図４
2010187088.tif 000002
【特許請求の範囲】
【請求項１】
映像を表示可能な表示装置と接続するための接続手段と、
前記接続手段に接続された前記表示装置の機器情報を自装置に送信するように、該表示装置に対して要求するための機器情報要求命令を送信する機器情報要求送信手段と、
前記機器情報要求命令に応じて前記表示装置から送信された機器情報を受信するための機器情報受信手段と、
放送局から放送されるテレビジョン番組（以下、ＴＶ番組という）を録画可能な記録媒体と、
前記記録媒体にＴＶ番組を録画する録画手段と、
前記記録媒体に録画されたＴＶ番組の再生を行う再生手段と、
装置各部を制御する制御手段とを備える録画再生装置において、
前記機器情報受信手段によって受信された機器情報に基づいて、前記表示装置に対応した録画画質を算出する録画画質算出手段をさらに備え、
前記制御手段は、
前記機器情報要求送信手段を用いて前記表示装置に対して前記機器情報要求命令を送信した後、前記録画画質算出手段を用いて、前記機器情報受信手段によって受信された前記表示装置の機器情報に基づき該表示装置に対応した録画画質を算出し、ＴＶ番組を前記録画画質算出手段で算出された録画画質で前記録画手段により前記記録媒体に録画することを特徴とする録画再生装置。
【請求項２】
前記機器情報受信手段により受信される機器情報には、前記表示装置の画面サイズが含まれており、
前記録画画質算出手段は、前記画面サイズに基づいて、前記表示装置に対応した録画画質を算出することを特徴とする請求項１に記載の録画再生装置。
【請求項３】
前記表示装置と、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うことを特徴とする請求項１又は２に記載の録画再生装置。
【発明の詳細な説明】
【技術分野】
【０００１】
本発明は、ＴＶ番組の録画画質を変更して録画可能な録画再生装置に関する。
【背景技術】
【０００２】
従来から、録画画質が高画質である録画モードや、録画画質が低画質である録画モード等の複数の録画モードを有する録画再生装置が知られている。この種の録画再生装置によって高画質録画されたＴＶ番組が再生されてＴＶ受像機等の表示装置に映像が出力されると、表示装置には高画質の映像が表示される。また、この種の録画再生装置によって低画質録画されたＴＶ番組が再生されて表示装置に映像が出力されると、表示装置には低画質の映像が表示される。
【０００３】
ところで、一般に、表示装置の画面サイズが小さい場合には、再生対象となるＴＶ番組が高画質録画されたＴＶ番組であっても、低画質録画されたＴＶ番組であっても、ユーザが視聴する映像の画質には大差がない。ところが、高画質録画されたＴＶ番組のデータサイズは低画質録画されたＴＶ番組のデータサイズよりも大きいので、記録媒体の記録領域を多く使用する。従って、表示装置の画面サイズが小さい場合には、ＴＶ番組を高画質録画しても記録媒体の使用効率が悪くなるだけである。
【０００４】
ところで、従来からＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格（以下、ＣＥＣという）に対応した録画再生装置が知られている（例えば、特許文献１乃至３参照）。この種の録画再生装置は、ＣＥＣに対応したＴＶ受像機とＨＤＭＩケーブルを介して接続された状態でコマンドを送受信することにより機器間の動作を制御することができる。しかしながら、この種の録画装置では上記問題を解決できない。
【先行技術文献】
【特許文献】
【０００５】
【特許文献１】特開２００８−２１１４６８号公報
【特許文献２】特開２００２−１２５１８５号公報
【特許文献３】特開２００１−２８５８０１号公報
【発明の概要】
【発明が解決しようとする課題】
【０００６】
本発明は、上述した問題点を解決するためになされたものであり、ＴＶ番組を録画する際に、記録媒体を効率良く使用することが可能な録画再生装置を提供することを目的とする。
【課題を解決するための手段】
【０００７】
上記目的を達成するために請求項１の発明は、映像を表示可能な表示装置と接続するための接続手段と、前記接続手段に接続された前記表示装置の機器情報を自装置に送信するように、該表示装置に対して要求するための機器情報要求命令を送信する機器情報要求送信手段と、前記機器情報要求命令に応じて前記表示装置から送信された機器情報を受信するための機器情報受信手段と、放送局から放送されるテレビジョン番組（以下、ＴＶ番組という）を録画可能な記録媒体と、前記記録媒体にＴＶ番組を録画する録画手段と、前記記録媒体に録画されたＴＶ番組の再生を行う再生手段と、装置各部を制御する制御手段とを備える録画再生装置において、前記機器情報受信手段によって受信された機器情報に基づいて、前記表示装置に対応した録画画質を算出する録画画質算出手段をさらに備え、前記制御手段は、前記機器情報要求送信手段を用いて前記表示装置に対して前記機器情報要求命令を送信した後、前記録画画質算出手段を用いて、前記機器情報受信手段によって受信された前記表示装置の機器情報に基づき該表示装置に対応した録画画質を算出し、ＴＶ番組を前記録画画質算出手段で算出された録画画質で前記録画手段により前記記録媒体に録画するものである。
【０００８】
請求項２に記載の発明は、請求項１に記載の録画再生装置において、前記機器情報受信手段により受信される機器情報には、前記表示装置の画面サイズが含まれており、前記録画画質算出手段は、前記画面サイズに基づいて、前記表示装置に対応した録画画質を算出するものである。
【０００９】
請求項３に記載の発明は、請求項１又は２に記載の録画再生装置において、前記表示装置と、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）規格に従って通信を行うものである。
【発明の効果】
【００１０】
請求項１の発明によれば、表示装置の機器情報に基づき表示装置に対応した録画画質を算出し、算出された録画画質でＴＶ番組を記録媒体に録画する。そのため、従来と異なり、表示装置に対応した録画画質で録画を行うので記録媒体を効率良く使用することができる。
【００１１】
また、請求項２の発明によれば、表示装置の画面サイズが小さいにもかかわらず高画質録画をしてしまうことがなくなり、画面サイズに応じた録画画質で録画を行うので記録媒体を効率良く使用することができる。
【図面の簡単な説明】
【００１２】
【図１】本発明の一実施形態に係るブルーレイディスクレコーダ（ＢＤレコーダ）と、このＢＤレコーダとＨＤＭＩケーブルを介して接続されたＴＶ受像機とを示す斜視図。
【図２】上記ＢＤレコーダの構成を示すブロック図。
【図３】上記ＴＶ受像機の構成を示すブロック図。
【図４】上記ＢＤレコーダの録画処理の手順を示すフローチャート。
【図５】上記録画処理における録画モード算出設定処理の詳細手順を示すフローチャート。
【発明を実施するための形態】
【００１３】
本発明の一実施形態に係るブルーレイディスクレコーダ（録画再生装置）について、図１乃至図３を参照して説明する。図１は、ブルーレイディスクレコーダ（以下、ＢＤレコーダという）１と、このＢＤレコーダ１にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル３を介して接続されたテレビジョン（以下、ＴＶという）受像機（表示装置）２との外観を示す。図２は、ＢＤレコーダ１の内部構成を示し、図３は、ＴＶ受像機２の内部構成を示す。
【００１４】
ＢＤレコーダ１は、放送局から放送されるテレビジョン番組（以下、ＴＶ番組という）を受信して、このＴＶ番組の映像信号及び音声信号を、ＨＤＭＩケーブル３を介してＢＤレコーダ１と接続されたＴＶ受像機２に出力するものである。また、ＢＤレコーダ１は、放送局から放送されるＴＶ番組の録画再生を行うものである。ＴＶ受像機２は、ディスプレイやスピーカを有する表示装置である。
【００１５】
ＢＤレコーダ１は、放送局から放送されるＴＶ放送信号に基づくＴＶ番組を受信するチューナ１１と、ユーザによって操作されるリモコン装置４から送信されたリモコン信号を受信するリモコン信号受信部１２と、筐体外部に露出するように設けられたＨＤＭＩ端子部（接続手段）１３とを備える。また、ＢＤレコーダ１は、各種情報が記憶されるメモリ１４と、光ディスクドライブ（録画手段、再生手段）１５と、装置各部の制御を行う制御用マイコン（制御手段）１６とをさらに備える。
【００１６】
メモリ１４には、制御用マイコン１６を動作させるためのプログラム１４ａと、録画モード情報１４ｂと、録画モード閾値情報１４ｃとが記憶されている。録画モード情報１４ｂには、高画質でＴＶ番組の録画を行う高画質録画モードと、標準画質でＴＶ番組の録画を行う標準録画モードと、低画質でＴＶ番組の録画を行う低画質録画モードに関する情報が記憶されている。高画質、標準画質、低画質の順に、録画画質が高く、録画に必要なデータサイズが大きい。
【００１７】
録画モード閾値情報１４ｃには、後述するＴＶ番組の録画処理において、録画画質の異なる複数の録画モードの中からＴＶ受像機２に対応する録画画質である録画モードを算出する際に用いる第１閾値、及び第２閾値が記憶されている。第１閾値は、この値以上の場合、ＴＶ受像機２が高画質の映像を表示可能であると判断できる値であり、第２閾値は、この値よりも小さい場合、低画質の映像のみ表示可能と判断できる値である。
【００１８】
光ディスクドライブ１５は、内部にブルーレイディスク等の光ディスク（記録媒体）Ｄが装着され、光ディスクＤに録画されているＴＶ番組の読み出しや、光ディスクＤに対するＴＶ番組の録画を行う。
【００１９】
制御用マイコン１６は、映像出力部（再生手段）１６ａと、録画処理部１６ｂと、機器情報送受信部（機器情報要求送信手段、機器情報受信手段）１６ｃと、録画画質算出部（録画画質算出手段）１６ｄとを有する。録画処理部１６ｂと光ディスクドライブ１５とが、請求項における録画手段に相当する。
【００２０】
映像出力部１６ａは、チューナ１１によって受信されたＴＶ番組や、光ディスクドライブ１５によって光ディスクＤから読み出されたＴＶ番組の再生を行い、再生されたＴＶ番組の映像信号及び音声信号を、ＨＤＭＩケーブル３を介してＴＶ受像機２に出力する。
【００２１】
録画処理部１６ｂは、上記３つの録画モードのうちのいずれかの録画モードによる録画画質で、例えばユーザによるリモコン装置４の操作に基づいてチューナ１１から受信されたＴＶ番組を光ディスクＤに録画する処理（以下、録画処理という）を行う。録画処理の詳細については後述する。
【００２２】
機器情報送受信部１６ｃは、ＨＤＭＩケーブル３を介して接続されたＴＶ受像機２の機器情報を自装置に送信するように、ＴＶ受像機２に対して要求するための機器情報要求命令（以下、機器情報要求コマンドという）を送信する。また、機器情報送受信部１６ｃは、機器情報要求コマンドに応じてＴＶ受像機２から送信された機器情報を受信する。機器情報は、ＴＶ受像機２のスペック（仕様や特性）を示すＥＤＩＤ（extended display identification data）である。
【００２３】
録画画質算出部１６ｄは、機器情報送受信部１６ｃによって受信されたＴＶ受像機２の機器情報（ＥＤＩＤ）に基づいて、ＴＶ受像機２に対応した録画モードを算出する。機器情報（ＥＤＩＤ）には、ＴＶ受像機２の画面（ディスプレイ）サイズに関する情報が含まれており、この情報に基づいて、録画画質算出部１６ｄがＴＶ受像機２に対応する録画画質（録画モード）を算出する。
【００２４】
ＴＶ受像機２は、図３に示すように、ＴＶ番組の映像を表示するディスプレイ（画面）２１と、ＴＶ番組の音声を出力するスピーカ２２と、放送局からＴＶ番組を受信するチューナ２３と、リモコン装置５から送信されたリモコン信号を受信するリモコン信号受信部２４とを備える。また、ＴＶ受像機２は、ＴＶ受像機の筐体外部に露出するように設けられたＨＤＭＩ端子部２５と、各種情報が記憶されるメモリ２６と、ＴＶ受像機２の各部を制御するための制御用マイコン２７とをさらに備える。
【００２５】
ＨＤＭＩ端子部２５には、ＨＤＭＩケーブル３の一端が接続される。メモリ２６には、制御用マイコン２７を動作させるためのプログラム２６ａと、ＴＶ受像機２の機器情報２６ｂとが記憶されている。機器情報２６ｂには、ＴＶ受像機２の画面サイズを示す情報、具体的には例えば、画面サイズのインチ数の情報等が含まれている。
【００２６】
制御用マイコン２７は、機器情報送受信部２７ａを有し、チューナ２３によって受信されたＴＶ番組の映像及び音声や、ＨＤＭＩケーブル３を介して受信した映像及び音声をディスプレイ２１に表示させたりスピーカ２２から出力させたりする。
【００２７】
機器情報送受信部２７ａは、ＨＤＭＩケーブル３を介して接続された他の装置に対して、ＴＶ受像機２の機器情報（ＥＤＩＤ）の送信や、各種命令コマンドの受信を行う。
【００２８】
次に、ＢＤレコーダ１の録画処理の手順について、図４に示すフローチャートを参照して説明する。ここでは、既にＢＤレコーダ１とＴＶ受像機２とがＨＤＭＩケーブル３を介して接続されているものとする。また、ＢＤレコーダ１の電源はオフであり、ＴＶ受像機２の電源はオンであるものとする。
【００２９】
まず、ユーザがリモコン装置４の電源キー（図示せず）等を押下することによりＢＤレコーダ１の電源をオンにすると（Ｓ１）、ＢＤレコーダ１は、ＨＤＭＩケーブル３を介してＴＶ受像機２と接続されていることを検知し、ＨＤＭＩによる接続を行うためのＨＤＭＩ認証処理を行う（Ｓ２）。その後、ＢＤレコーダ１の制御用マイコン１６は、機器情報送受信部１６ｃを用いて、ＴＶ受像機２に対して機器情報要求コマンドを送信することにより、ＴＶ受像機２から機器情報（ＥＤＩＤ）を取得する（Ｓ３）。
【００３０】
そして、制御用マイコン１６は、上記Ｓ３で取得した機器情報（ＥＤＩＤ）の中から、ＴＶ受像機２の画面サイズの情報（画面のインチ数の情報や解像度の情報等）を取得し（Ｓ４）、取得した画面サイズの情報を用いて、録画モード算出設定処理（Ｓ５）を行うことにより、録画モードを設定する。そして、制御用マイコン１６は、録画処理部１６ｂを用いて、設定された録画モードの録画画質により、ＴＶ番組の録画を行う（Ｓ６）。
【００３１】
次に、上記録画モード算出設定処理の手順について、図５に示すフローチャートを参照して説明する。ここでは、例えば、ＴＶ受像機２の画面のインチ数を用いて、録画モードを算出するものとし、第１閾値が２６インチであり、第２閾値が１２インチであるものとする。
【００３２】
ＢＤレコーダ１の制御用マイコン１は、上記Ｓ４で取得した画面サイズの情報に基づいて画面サイズが第１閾値以上かを録画画質算出部１６ｄにより比較し、画面サイズが第１閾値以上である場合（Ｓ１１でＹＥＳ）、録画処理部１６ｂの録画モードとして高画質録画モードを設定する（Ｓ１２）。具体的には例えば、取得したＴＶ受像機２の画面サイズが２４インチ以上である場合、録画処理部１６ｂの録画モードとして高画質録画モードを設定する。
【００３３】
一方、画面サイズが第１閾値以上でない場合（Ｓ１１でＮＯ）において、第２閾値以上であるとき（Ｓ１３でＹＥＳ）、制御用マイコン１６は、録画処理部１６ｂの録画モードとして標準録画モードを設定する（Ｓ１４）。具体的には例えば、ＴＶ受像機２の画面サイズが、２４インチ未満であり、尚且つ、１２インチ以上の場合、録画処理部１６ｂの録画モードとして標準録画モードを設定する。
【００３４】
一方、画面サイズが第２閾値以上でない場合（Ｓ１３でＮＯ）、制御用マイコン１６は、録画処理部１６ｂの録画モードとして低画質録画モードを設定する（Ｓ１５）。具体的には例えば、ＴＶ受像機２の画面サイズが１２インチ未満の場合、録画処理部１６ｂの録画モードとして低画質録画モードを設定する。なお、ここでは、画面の数インチを用いて録画モードの算出を行う例を示したが、これに限られず、例えば、解像度などの値を用いて録画モードを算出してもよい。
【００３５】
上述したように、本実施形態に係るＢＤレコーダ１によれば、ＴＶ受像機２の機器情報（ＥＤＩＤ）に基づき、ＴＶ受像機２に対応した録画モードを算出し、算出された録画モードでＴＶ番組を光ディスクＤに録画する。そのため、従来と異なり、表示装置の画面サイズが小さいにもかかわらず、高画質録画してしまうことがなくなり、画面サイズに応じた録画画質で録画を行うので光ディスクＤを効率良く使用することができる。
ことができる。
【００３６】
なお、本発明は、上記実施形態の構成に限られず、発明の趣旨を変更しない範囲で種々の変形が可能である。例えば、上記実施形態では、本発明をＢＤレコーダに適用する例を示したが、これに限らず、ハードディスクレコーダや、ＤＶＤプレーヤ等のＴＶ番組を録画可能な機器に適用してもよい。また、録画画質の異なる録画モードが２つ、又は４つ以上あっても良い。
【符号の説明】
【００３７】
１  ＢＤレコーダ（録画再生装置）
２  ＴＶ受像機（表示装置）
１３  ＨＤＭＩ端子部（接続手段）
１５  光ディスクドライブ（録画手段、再生手段）
１６  制御用マイコン（制御手段）
１６ａ  映像出力部（再生手段）
１６ｂ  録画処理部（録画手段）
１６ｃ  設定情報送受信部（機器情報要求送信手段、機器情報受信手段）
１６ｄ  録画画質算出部（録画画質算出手段）
Ｄ  光ディスク（記録媒体）
【図１】
2010187088.tif 000003
【図２】
2010187088.tif 000004
【図３】
2010187088.tif 000005
【図４】
2010187088.tif 000006
【図５】
2010187088.tif 000007